(57)【要約】  本発明の実施形態は、動的調整ビームセットを用いる伝送方法、基地局、及び端末に関する。当該方法は、基地局により、第１レイヤシグナリングを用いて端末へ第１指示情報を送信するステップであって、前記第１指示情報は第１ビームセットを示す、ステップと、前記基地局により、第２レイヤシグナリングを用いて前記端末へ第２指示情報を送信するステップであって、前記第２指示情報は前記第１ビームセットの中の少なくとも１つのビームを示す、ステップと、前記基地局により、前記少なくとも１つのビームを用いて前記端末へデータを送信するステップと、を含む。本発明の実施形態は、ブロックにより引き起こされる信号フェージング問題を解決できる。
2020515094.tif 000002
【特許請求の範囲】
【請求項１】
動的調整ビームセットを用いる伝送方法であって、
基地局により、第１レイヤシグナリングを用いて端末へ第１指示情報を送信するステップであって、前記第１指示情報は第１ビームセットを示す、ステップと、
前記基地局により、第２レイヤシグナリングを用いて前記端末へ第２指示情報を送信するステップであって、前記第２指示情報は前記第１ビームセットの中の少なくとも１つのビームを示す、ステップと、
前記基地局により、前記少なくとも１つのビームを用いて前記端末へデータを送信するステップと、
を含む方法。
【請求項２】
前記第１レイヤシグナリングは上位レイヤシグナリングであり、前記第２レイヤシグナリングは物理レイヤシグナリング又は媒体アクセス制御ＭＡＣレイヤシグナリングである、請求項１に記載の方法。
【請求項３】
前記基地局により、前記少なくとも１つのビームを用いて前記端末へデータを送信する前記ステップの後に、前記方法は、
前記基地局により、前記端末により送信されたビーム状態情報を受信するステップであって、前記ビーム状態情報は、前記少なくとも１つのビームの各々が利用可能か否かを示す、ステップ、
を更に含む請求項１又は２に記載の方法。
【請求項４】
前記第１指示情報は、前記第１ビームセットの中の各ビームのビームインデックス、又は前記第１ビームセットの中の各ビームのコードブックインデックスである、請求項１乃至３のいずれか一項に記載の方法。
【請求項５】
前記第２指示情報は、前記第１ビームセットに基づくビットマップの指示方法を用いる、請求項１乃至４のいずれか一項に記載の方法。
【請求項６】
前記少なくとも１つのビームは２個のビームであり、前記基地局により、前記２個のビームを用いて前記端末へデータを送信する前記ステップは、
前記基地局により、前記２個のビームに基づき２個のアンテナポートを決定するステップと、
前記基地局により、空間周波数ブロック符号化ＳＦＢＣ送信ダイバーシチ技術を用いて前記２個のアンテナポートに基づき前記端末へ前記データを送信するステップと、
を含む、請求項１乃至５のいずれか一項に記載の方法。
【請求項７】
前記基地局により、前記少なくとも１つのビームを用いて前記端末へデータを送信する前記ステップは、
前記基地局により、前記少なくとも１つのビームを循環的に用いて、前記端末へ前記データを送信し、共通ポートを用いて参照信号を送信するステップを含む、請求項１乃至５のいずれか一項に記載の方法。
【請求項８】
前記基地局により、前記少なくとも１つのビームを用いて前記端末へデータを送信する前記ステップは、
前記基地局により、前記少なくとも１つのビームを循環的に用いて、前記端末へ前記データ及び参照信号を送信するステップを含む、請求項１乃至５のいずれか一項に記載の方法。
【請求項９】
動的調整ビームセットを用いる伝送方法であって、
端末により、第１レイヤシグナリングを用いて基地局から第１指示情報を受信するステップであって、前記第１指示情報は第１ビームセットを示す、ステップと、
前記端末により、第２レイヤシグナリングを用いて前記基地局から第２指示情報を受信するステップであって、前記第２指示情報は前記第１ビームセットの中の少なくとも１つのビームを示す、ステップと、
前記端末により、前記少なくとも１つのビームを用いて前記基地局からデータを受信するステップと、
を含む方法。
【請求項１０】
前記第１レイヤシグナリングは上位レイヤシグナリングであり、前記第２レイヤシグナリングは物理レイヤシグナリング又は媒体アクセス制御ＭＡＣレイヤシグナリングである、請求項９に記載の方法。
【請求項１１】
前記端末により、前記少なくとも１つのビームを用いて前記基地局からデータを受信する前記ステップの後に、前記方法は、
前記端末により、前記基地局へビーム状態情報を送信するステップであって、前記ビーム状態情報は、前記少なくとも１つのビームの各々が利用可能か否かを示す、ステップ、
を更に含む請求項９又は１０に記載の方法。
【請求項１２】
前記第１指示情報は、前記第１ビームセットの中の各ビームのビームインデックス、又は前記第１ビームセットの中の各ビームのコードブックインデックスである、請求項９乃至１１のいずれか一項に記載の方法。
【請求項１３】
前記第２指示情報は、前記第１ビームセットに基づくビットマップの指示方法を用いる、請求項９乃至１２のいずれか一項に記載の方法。
【請求項１４】
前記少なくとも１つのビームは２個のビームであり、前記端末により、前記２個のビームを用いて前記基地局からデータを受信する前記ステップは、
前記端末により、空間周波数ブロック符号化ＳＦＢＣ送信ダイバーシチ技術が前記基地局の伝送方法で使用されることを決定するステップと、
前記端末により、２つのアンテナポートに基づき前記基地局から前記データを受信するステップと、
を含む、請求項９乃至１３のいずれか一項に記載の方法。
【請求項１５】
前記端末により、前記少なくとも１つのビームを用いて前記基地局からデータを受信する前記ステップは、
前記端末により、前記基地局の伝送方法が、前記少なくとも１つのビームを循環的に用いて前記データを送信し、共通ポートを用いて参照信号を送信することであると決定するステップと、
前記端末により、前記少なくとも１つのビームを循環的に用いて前記基地局から前記データを受信し、前記共通ポートを用いて前記参照信号を受信するステップと、
を含む、請求項９乃至１３のいずれか一項に記載の方法。
【請求項１６】
前記端末により、前記少なくとも１つのビームを用いて前記基地局からデータを受信する前記ステップは、
前記端末により、前記少なくとも１つのビームを用いて、前記基地局から、前記基地局により前記少なくとも１つのビームを循環的に用いて前記端末へ送信された前記データ及び参照信号を受信するステップを含む、請求項９乃至１３のいずれか一項に記載の方法。
【請求項１７】
基地局であって、処理モジュール及び通信モジュールを含み、
前記処理モジュールは、第１レイヤシグナリングを用いて端末へ第１指示情報を送信するよう前記通信モジュールを制御し、前記第１指示情報は第１ビームセットを示し、第２レイヤシグナリングを用いて前記端末へ第２指示情報を送信するよう前記通信モジュールを制御し、前記第２指示情報は前記第１ビームセットの中の少なくとも１つのビームを示し、前記少なくとも１つのビームを用いて前記端末へデータを送信するよう前記通信モジュールを制御する、よう構成される、基地局。
【請求項１８】
前記第１レイヤシグナリングは上位レイヤシグナリングであり、前記第２レイヤシグナリングは物理レイヤシグナリング又は媒体アクセス制御ＭＡＣレイヤシグナリングである、請求項１７に記載の基地局。
【請求項１９】
前記処理モジュールは、前記少なくとも１つのビームを用いて前記端末へ前記データを送信するよう前記通信モジュールを制御した後に、前記端末により送信されたビーム状態情報を受信するよう前記通信モジュールを制御するよう更に構成され、前記ビーム状態情報は、前記少なくとも１つのビームの各々が利用可能か否かを示す、請求項１７又は１８に記載の基地局。
【請求項２０】
前記第１指示情報は、前記第１ビームセットの中の各ビームのビームインデックス、又は前記第１ビームセットの中の各ビームのコードブックインデックスである、請求項１７乃至１９のいずれか一項に記載の基地局。
【請求項２１】
前記第２指示情報は、前記第１ビームセットに基づくビットマップの指示方法を用いる、請求項１７乃至２０のいずれか一項に記載の基地局。
【請求項２２】
前記少なくとも１つのビームは２個のビームであり、前記処理モジュールは、具体的に、前記２個のビームに基づき２個のアンテナポートを決定し、前記２個のアンテナポートに基づき、空間周波数ブロック符号化ＳＦＢＣ送信ダイバーシチ技術を用いて前記端末へ前記データを送信するよう前記通信モジュールを制御するよう構成される、請求項１７乃至２１のいずれか一項に記載の基地局。
【請求項２３】
前記処理モジュールは、具体的に、前記少なくとも１つのビームを循環的に用いて前記端末へ前記データを送信するよう及び共通ポートを用いて参照信号を送信するよう前記通信モジュールを制御するよう構成される、請求項１７乃至２１のいずれか一項に記載の基地局。
【請求項２４】
前記処理モジュールは、具体的に、前記少なくとも１つのビームを循環的に用いて前記端末へ前記データ及び参照信号を送信するよう前記通信モジュールを制御するよう構成される、請求項１７乃至２１のいずれか一項に記載の基地局。
【請求項２５】
端末であって、処理モジュール及び通信モジュールを含み、
前記処理モジュールは、第１レイヤシグナリングを用いて基地局から第１指示情報を受信するよう前記通信モジュールを制御し、前記第１指示情報は第１ビームセットを示し、第２レイヤシグナリングを用いて前記基地局から第２指示情報を受信するよう前記通信モジュールを制御し、前記第２指示情報は前記第１ビームセットの中の少なくとも１つのビームを示し、前記少なくとも１つのビームを用いて前記基地局からデータを受信するよう前記通信モジュールを制御する、よう構成される、端末。
【請求項２６】
前記第１レイヤシグナリングは上位レイヤシグナリングであり、前記第２レイヤシグナリングは物理レイヤシグナリング又は媒体アクセス制御ＭＡＣレイヤシグナリングである、請求項２５に記載の端末。
【請求項２７】
前記処理モジュールは、前記少なくとも１つのビームを用いて前記基地局から前記データを受信するよう前記通信モジュールを制御した後に、前記基地局へビーム状態情報を送信するよう前記通信モジュールを制御するよう更に構成され、前記ビーム状態情報は、前記少なくとも１つのビームの各々が利用可能か否かを示す、請求項２５又は２６に記載の端末。
【請求項２８】
前記第１指示情報は、前記第１ビームセットの中の各ビームのビームインデックス、又は前記第１ビームセットの中の各ビームのコードブックインデックスである、請求項２５乃至２７のいずれか一項に記載の端末。
【請求項２９】
前記第２指示情報は、前記第１ビームセットに基づくビットマップの指示方法を用いる、請求項２５乃至２８のいずれか一項に記載の端末。
【請求項３０】
前記少なくとも１つのビームは２個のビームであり、前記処理モジュールは、具体的に、空間周波数ブロック符号化ＳＦＢＣ送信ダイバーシチ技術が前記基地局の伝送方法で使用されることを決定し、２つのアンテナポートに基づき前記基地局から前記データを受信するよう前記通信モジュールを制御するよう構成される、請求項２５乃至２９のいずれか一項に記載の端末。
【請求項３１】
前記処理モジュールは、具体的に、前記基地局の伝送方法が、前記少なくとも１つのビームを循環的に用いて前記データを送信し、共通ポートを用いて参照信号を送信することであると決定し、並びに、前記少なくとも１つのビームを循環的に用いて前記基地局から前記データを受信し及び前記共通ポートを用いて前記参照信号を受信するよう、前記通信モジュールを制御するよう構成される、請求項２５乃至２９のいずれか一項に記載の端末。
【請求項３２】
前記処理モジュールは、具体的に、前記少なくとも１つのビームを用いて前記基地局から、前記基地局により前記少なくとも１つのビームを循環的に用いて前記端末へ送信された前記データ及び参照信号を受信するよう前記通信モジュールを制御するよう構成される、請求項２５乃至２９のいずれか一項に記載の端末。
【発明の詳細な説明】
【技術分野】
【０００１】
［関連出願］
本願は、参照によりその全体がここに組み込まれる中国特許出願番号２０１６１１１８００９３．６、２０１６年１２月９日に中国特許庁に出願、名称「TRANSMISSION  METHOD  USING  DYNAMICALLY  ADJUSTED  BEAM  SET,  BASE  STATION,  AND  TERMINAL」の優先権を主張する。
【０００２】
［技術分野］
本発明は、通信分野に関し、特に、動的調整ビームセットを用いる伝送方法、基地局、及び端末に関する。
【背景技術】
【０００３】
第５世代（５th  Generation、５G）移動体通信システムは、移動体データトラフィックの増大、マッシブなモノのインターネット、将来可能な多様な新サービス及び適用シナリオを作り出す。統一されたコネクションフレームとして機能することに加えて、新世代セルラネットワークの基礎の５Ｇ新無線（New  Radio、NR）は、うまくいけば、ネットワークのデータ速度、容量、遅延、信頼性、効率、及びカバレッジ能力を、新しいレベルにまで更に向上し、各ビットの利用可能スペクトルリソースを完全に利用する。直交周波数分割多重（Orthogonal  Frequency  Division  Multiplexing、OFDM）新無線に基づき設計された５Ｇは、世界標準になり、５Ｇ装置の多様な展開をサポートし、多様なスペクトル（低周波数帯及び高周波数帯を含む）をカバーし、更に、多様なサービス及び端末をサポートするだろう。
【０００４】
高周波数伝送はより多くの帯域幅を提供するが、高周波数伝送は、独特の問題、例えば深刻な信号フェージング及び粗悪な透過能力を有する。現在、マッシブ（massive）多入力多出力（Multiple−Input  Multiple−Output、MIMO）ビーム形成（beamforming）を特徴とする伝送ソリューションは、そのカバレッジを拡張し及び深刻なフェージングの問題を克服すると考えられている。空間周波数ブロック符号化（space  frequency  block  code、SFBC）、(semi)−open−loop、及びbeam−cyclingのようなソリューションは、ブロックにより引き起こされる減少した透過能力の問題を克服するために使用される。前述のソリューションでは、ビ―ムは異なる方向のビーム又は異なる方向のビームにより形成されるビームであってよい。
【０００５】
ブロックは、予想外である場合が多く、ビームの半静的調整が既存ソリューションにおいて使用される。半静的調整は、ビームセットが上位レイヤシグナリング（例えば、無線リソース制御（Radio  Resource  Control、RRC）シグナリング）を用いて示され、及びビームセット調整が比較的長時間を要することを意味する。結果として、半静的調整は、ブロックにより引き起こされる信号フェージング問題を完全に除去できない。ビームセットの中のビームは、時間期間の範囲内で固定され、ビームセットの中の１つ以上のビームがブロックされる場合でさえ、ビームセットは依然として信号伝送のために使用される。データを検出するとき、端末は、チャネル復号を通じて正しい情報を得る前に、各ビーム上の大部分の又は全部の信号を検出する必要がある。１つのビームがブロックされる場合、１つ以上のビームで伝達される信号は検出できず、端末は大部分の情報を失い、チャネル復号を通じたとしても正しい情報が復元できない。特に、中及び高変調符号レート方式（Modulation  code  rate  scheme、MCS）におけるレベルによる伝送のシナリオでは、既存ソリューションはブロックにより引き起こされる信号フェージング問題を克服できない。
【発明の概要】
【０００６】
本発明の実施形態は、ブロックにより引き起こされる信号フェージング問題を解決するために、動的調整ビームセットを用いる伝送方法、基地局、及び端末を提供する。
【０００７】
一態様によると、動的調整ビームセットを用いる伝送方法が提供される。基地局は、第１レイヤシグナリングを用いて端末へ第１指示情報を送信し、前記第１指示情報は第１ビームセットを示し、前記基地局は、第２レイヤシグナリングを用いて前記端末へ第２指示情報を送信し、前記第２指示情報は前記第１ビームセットの中の少なくとも１つのビームを示し、前記基地局が、前記少なくとも１つのビームを用いて前記端末へデータを送信する。
【０００８】
本発明の本実施形態では、基地局は、端末へ２個のレイヤのシグナリングを用いて、ビームに関する情報を送信する。その結果、２個のレイヤのシグナリングの送信期間は、異なり得、ビームは都合良く迅速に調整でき、ビームに関する情報を送信するために使用されるシグナリングビットが削減できる。これは、ブロックにより引き起こされる信号フェージング問題を効率的に解決できる。
【０００９】
可能な実装では、第１レイヤシグナリングは上位レイヤシグナリングであり、第２レイヤシグナリングは物理レイヤシグナリング又は媒体アクセス制御（Media  Access  Control、MAC）レイヤシグナリングである。本実装によると、上位レイヤシグナリングの期間は比較的長く、物理レイヤシグナリング又はＭＡＣレイヤシグナリングの期間は比較的短い。その結果、ビームは都合良く腎属に調整され得る。
【００１０】
可能な実装では、前記基地局により、前記少なくとも１つのビームを用いて前記端末へデータを送信した後に、前記基地局は、前記端末により送信されたビーム状態情報を受信し、前記ビーム状態情報は、前記少なくとも１つのビームの各々が利用可能か否かを示す。本実装によると、基地局は、端末によりフィードバックされたビーム状態情報を受信する。その結果、リアルタイムチャネル状態が都合良く学習され、ビームが相応して調整される。
【００１１】
可能な実装では、第１指示情報は、第１ビームセットの中の各ビームのビームインデックス、又は第１ビームセットの中の各ビームのコードブックインデックスである。
【００１２】
可能な実装では、第２指示情報は、第１ビームセットに基づくビットマップの指示方法を使用する。本実装によると、ビームを動的に調整するために使用されるシグナリングリソースは、２種類の指示情報が組み合わせて使用されるとき、削減できる。
【００１３】
可能な実装では、少なくとも１つのビームは２個のビームであり、基地局は、２個のビームに基づき２個のアンテナポートを決定し、基地局は、２個のアンテナポートに基づき、空間周波数ブロック符号化（space  frequency  block  code、SFBC）技術を用いて端末へデータを送信する。
【００１４】
可能な実装では、基地局は、少なくとも１つのビームを循環的に用いて端末へデータを送信し、共通ポートを用いて参照信号を送信する。
【００１５】
可能な実装では、基地局は、少なくとも１つのビームを循環的に用いて端末へデータ及び参照信号を送信する。
【００１６】
別の態様によると、動的調整ビームセットを用いる伝送方法が提供される。端末は、第１レイヤシグナリングを用いて基地局から第１指示情報を受信し、前記第１指示情報は第１ビームセットを示し、前記端末は、第２レイヤシグナリングを用いて前記基地局から第２指示情報を受信し、前記第２指示情報は前記第１ビームセットの中の少なくとも１つのビームを示し、前記端末が、前記少なくとも１つのビームを用いて前記基地局からデータを受信する。
【００１７】
可能な実装では、第１レイヤシグナリングは上位レイヤシグナリングであり、第２レイヤシグナリングは物理レイヤシグナリング又はＭＡＣレイヤシグナリングである。
【００１８】
可能な実装では、前記端末により、前記少なくとも１つのビームを用いて前記基地局からデータを受信した後に、前記端末は、前記基地局へビーム状態情報を送信し、前記ビーム状態情報は、前記少なくとも１つのビームの各々が利用可能か否かを示す。
【００１９】
可能な実装では、第１指示情報は、第１ビームセットの中の各ビームのビームインデックス、又は第１ビームセットの中の各ビームのコードブックインデックスである。
【００２０】
可能な実装では、第２指示情報は、第１ビームセットに基づくビットマップの指示方法を使用する。
【００２１】
可能な実装では、少なくとも１つのビームは２個のビームであり、端末は、ＳＦＢＣ送信ダイバーシチ技術が基地局の伝送方法において使用されると決定し、端末は、２つのアンテナポートに基づき基地局からデータを受信する。
【００２２】
可能な実装では、前記端末は、前記基地局の伝送方法が、前記少なくとも１つのビームを循環的に用いて前記データを送信し、共通ポートを用いて参照信号を送信することであると決定し、並びに、前記端末は、前記少なくとも１つのビームを循環的に用いて前記基地局から前記データを受信し及び前記共通ポートを用いて前記参照信号を受信する。
【００２３】
可能な実装では、データを受信するために使用される同じビームの最小リソース単位は、以下：リソースエレメント、シンボル、及びリソースブロック、のうちの少なくとも１つを含む。
【００２４】
可能な実装では、端末は、基地局から、少なくとも１つのビームを用いて、基地局により少なくとも１つのビームを循環的に用いて端末へ送信されたデータ及び参照信号を受信する。
【００２５】
可能な実装では、データ及び参照信号を受信するために使用される同じビームの最小リソース単位は、リソースブロックである。
【００２６】
別の態様によると、本発明の一実施形態は、基地局を提供する。基地局は、前述の方法の設計で基地局により実行された機能を実施してよく、該機能は、ハードウェアを用いて実施されてよく、又は対応するソフトウェアを実行するハードウェアにより実装されてよい。ハードウェア又はソフトウェアは、機能に対応する１つ以上のモジュールを含む。
【００２７】
可能な設計では、基地局の構造は、プロセッサ及び通信インタフェースを含む。プロセッサは、前述の方法における対応する機能を実行する際に基地局をサポートするよう構成される。通信インタフェースは、基地局と端末又は他のエンティティとの間の通信をサポートするよう構成される。前記基地局は、メモリを更に含んでよい。前記メモリは、前記プロセッサに結合されるよう構成され、前記メモリは、前記基地局の必要なプログラム命令及びデータを格納する。
【００２８】
更に別の態様によると、本発明の一実施形態は、端末を提供する。端末は、前述の方法の設計における端末により実行される機能を実施し得る。機能は、ハードウェアを用いて実施されてよく、又は対応するソフトウェアを実行するハードウェアにより実施されてよい。ハードウェア又はソフトウェアは、機能に対応する１つ以上のモジュールを含む。
【００２９】
可能な設計では、端末の構造は、プロセッサ及び通信インタフェースを含む。プロセッサは、前述の方法における対応する機能を実行する際に端末をサポートするよう構成される。通信インタフェースは、端末と基地局又は他のエンティティとの間の通信をサポートするよう構成される。端末は、メモリを更に含んで良い。前記メモリは、前記プロセッサに結合されるよう構成され、前記メモリは、前記端末の必要なプログラム命令及びデータを格納する。
【００３０】
更に別の態様によると、本発明の一実施形態は、通信システムを提供する。システムは、前述の態様で記載された基地局及び端末を含む。
【００３１】
更に別の態様によると、本発明の一実施形態は、コンピュータ記憶媒体であって、前述の基地局により使用されるコンピュータソフトウェア命令を格納するよう構成され、コンピュータソフトウェア命令は前述の態様を実行するために設計されたプログラムを含む、コンピュータ記憶媒体を更に提供する。
【００３２】
更に別の態様によると、本発明の一実施形態は、コンピュータ記憶媒体であって、前述の端末により使用されるコンピュータソフトウェア命令を格納するよう構成され、コンピュータソフトウェア命令は前述の態様を実行するために設計されたプログラムを含む、コンピュータ記憶媒体を更に提供する。
【００３３】
更に別の態様によると、本発明の一実施形態は、コンピュータプログラムプロダクトを提供する。コンピュータプログラムプロダクトは命令を含み、プロガラムがコンピュータにより実行されると、該命令は、コンピュータが前述の方法の設計における基地局により実行される機能を実行できるようにする。
【００３４】
更に別の態様によると、本発明の一実施形態は、コンピュータプログラムプロダクトを提供する。コンピュータプログラムプロダクトは命令を含み、プロガラムがコンピュータにより実行されると、該命令は、コンピュータが前述の方法の設計における端末により実行される機能を実行できるようにする。
【００３５】
従来技術と比べて、本発明の実施形態では、基地局は、第１レイヤシグナリングを用いて端末へ第１指示情報を送信し、前記第１指示情報は第１ビームセットを示し、前記基地局は、第２レイヤシグナリングを用いて前記端末へ第２指示情報を送信し、前記第２指示情報は前記第１ビームセットの中の少なくとも１つのビームを示し、前記基地局は、前記少なくとも１つのビームを用いて前記端末へデータを送信する。以上から、ビームに関する情報が端末へ２個のレイヤのシグナリングを用いて送信され、その結果、２個のレイヤのシグナリングの送信期間は、異なり得、ビームは都合良く迅速に調整でき、ビームに関する情報を送信するために使用されるシグナリングビットが削減できることが分かる。これは、ブロックにより引き起こされる信号フェージング問題を効率的に解決できる。
【図面の簡単な説明】
【００３６】
【図１】本発明の一実施形態による、動的調整ビームセットを用いる伝送方法の基づく適用シナリオの概略図である。
【００３７】
【図２】本発明の一実施形態による、動的調整ビームセットを用いる伝送方法の概略通信図である。
【００３８】
【図３】本発明の一実施形態による、動的調整ビームセットを用いる別の伝送方法の概略通信図である。
【００３９】
【図４】本発明の一実施形態による、動的調整ビームセットを用いる更に別の伝送方法の概略通信図である。
【００４０】
【図５】本発明の一実施形態による、動的調整ビームセットを用いるまた別の伝送方法の概略通信図である。
【００４１】
【図６】本発明の一実施形態による基地局の構造図である。
【００４２】
【図７】本発明の一実施形態による別の基地局の構造図である。
【００４３】
【図８】本発明の一実施形態による端末の構造図である。
【００４４】
【図９】本発明の一実施形態による別の端末の構造図である。
【発明を実施するための形態】
【００４５】
本発明の実施形態の目的、技術的ソリューション、及び利点をより明確にするために、以下は、本発明の実施形態の技術的ソリューションを本発明の実施形態における添付の図面及び実施形態を参照して明確に記載する。
【００４６】
図１は、本発明の一実施形態による、動的調整ビームセットを用いる伝送方法の基づく適用シナリオの概略図である。図１を参照すると、ＭＩＭＯ通信技術が、基地局１０１と端末１０２との間で使用される。基地局１０１は、Ｎ個のビームを含むセットを構成し、上位レイヤシグナリングを用いて該セットを端末１０２に通知する。ビームセットの中のビームは、ビームインデックス又はコードブックインデックスを用いて示されてよい。コードブックインデックスとビームとの間には対応がある。例えば、コードブックインデックスは、ロングタームエボリューション（Long  Term  Evolution、LTE）システムにおけるプリコーディング行列指示子（Precoding  Matrix  Indicator、PMI）であってよい。基地局１０１は、現在の伝送で使用されるＭ個のビームを端末１０２に動的に通知する。Ｍ個のビームはＮ個のビームの部分集合である。基地局１０１は、Ｎビットビットマップ（bitmap）の方法で、現在の伝送で使用されるＭ個のビームを動的に示してよい。基地局１０１は、Ｍ個のビームを循環的に用いてデータを送信し、データ形成は、リソースエレメント（Resource  element、RE）レベル、シンボルレベル、又はリソースブロックレベルで実行されてよい。代替として、基地局１０１は、Ｍ個のビームに基づく送信ダイバーシチを用いてデータを送信する。端末１０２は、基地局１０１からビーム構成情報を受信し、ビーム構成情報に基づきデータを検出する。端末１０２は、基地局１０１により動的に示されるＭ個のビームに基づき、測定フィードバックを実行する。
【００４７】
図２は、本発明の一実施形態による、動的調整ビームセットを用いる伝送方法の概略通信図である。方法は、図１に示す適用シナリオに基づいてよい。図２を参照すると、方法は以下のステップを含む。
【００４８】
ステップ２０１。基地局は、第１レイヤシグナリングを用いて端末へ第１指示情報を送信する。ここで、第１指示情報は、第１ビームセットを示す。
【００４９】
一例では、第１レイヤシグナリングは、ＲＲＣシグナリングのような上位レイヤシグナリングである。上位レイヤシグナリングは、通常、比較的長い時間間隔で送信される。
【００５０】
一例では、第１指示情報は、第１ビームセットの中の各ビームのビームインデックス、又は第１ビームセットの中の各ビームのコードブックインデックスである。
【００５１】
ステップ２０２。端末は、第１レイヤシグナリングを用いて基地局から第１指示情報を受信し、第１指示情報に基づき第１ビームセットを決定する。
【００５２】
ステップ２０３。基地局は、第２レイヤシグナリングを用いて端末へ第２指示情報を送信する。ここで、第２指示情報は、第１ビームセットの中の少なくとも１つのビームを示す。
【００５３】
一例では、第２レイヤシグナリングは物理レイヤシグナリング、又はスケジューリングシグナリングのような媒体アクセス制御（Media  Access  Control、MAC）レイヤシグナリングである。物理レイヤシグナリング又はＭＡＣレイヤシグナリングは、通常、比較的短い時間間隔で送信され、その結果、使用されるビームは都合良く動的に調整できる。
【００５４】
一例では、第２指示情報は、第１ビームセットに基づくビットマップの指示方法を使用する。この方法では、１は、ビームが使用されることを示すために使用されてよく、０は、ビームが使用されないことを示すために使用されてよい；或いは、０は、ビームが使用されることを示すために使用されてよく、１は、ビームが使用されないことを示すために使用されてよい。その結果、シグナリング伝送リソースが効率的に節約できる。
【００５５】
ステップ２０４。端末は、第２レイヤシグナリングを用いて基地局から第２指示情報を受信し、第２指示情報に基づき第１ビームセットの中の少なくとも１つのビームを決定する。
【００５６】
ステップ２０５。基地局は、少なくとも１つのビームを用いて端末へデータを送信する。
【００５７】
一例では、少なくとも１つのビームは２個のビームであり、基地局は、２個のビームに基づき２個のアンテナポートを決定し、基地局は、２個のアンテナポートに基づき、空間周波数ブロック符号化（space  frequency  block  code、SFBC）技術を用いて端末へデータを送信する。
【００５８】
別の例では、基地局は、少なくとも１つのビームを循環的に用いて端末へデータを送信し、共通ポートを用いて参照信号を送信する。データを送信するために使用される同じビームの最小リソース単位は、以下：リソースエレメント、シンボル、及びリソースブロック、のうちの少なくとも１つを含む。多くのビームが端末へデータを送信するために使用されるとき、共通ポートを用いて参照信号を送信することは、参照信号を送信するために使用されるポート数を削減でき、それにより、伝送リソースを効率的に節約する。
【００５９】
別の例では、基地局は、少なくとも１つのビームを循環的に用いて端末へデータ及び参照信号を送信する。望ましくは、データ及び参照信号を送信するために使用される同じビームの最小リソース単位は、リソースブロックである。同じリソースブロックが複数のビームを含んでよく、及び各ビームが対応する参照信号を送信するために使用される必要がある場合、参照信号のオーバヘッドは非常に大きい。したがって、リソースブロックを最小リソース単位として選択することは、参照信号のオーバヘッドを可能な限り削減できる。
【００６０】
ステップ２０６。端末は、少なくとも１つのビームを用いて基地局からデータを受信する。
【００６１】
本発明の本実施形態では、基地局は、端末へ、伝送方法を示すシグナリング片を送信してよく、端末は、シグナリングに基づき基地局の伝送方法を決定する。
【００６２】
一例では、少なくとも１つのビームは２個のビームであり、端末は、ＳＦＢＣ送信ダイバーシチ技術が基地局の伝送方法において使用されると決定し、端末は、２つのアンテナポートに基づき基地局からデータを受信する。
【００６３】
基地局は、端末へ、伝送方法を示すシグナリング片を送信してよく、端末は、シグナリングに基づき、ＳＦＢＣ送信ダイバーシチ技術が基地局の伝送方法において使用されることを決定する。さらに、１つのアンテナポートは１つのビームに対応している。各アンテナポート上の参照信号は特定リソースを占有する。端末は、特定リソース上で、各アンテナポート上の参照信号を検出して、対応するアンテナポート又はビームに関するチャネル情報を取得する。データについては、各アンテナポートのデータは、所定ルールに従い、対応する時間周波数ドメインリソースにマッピングされる。
【００６４】
別の例では、端末は、少なくとも１つのビームを循環的に用いて基地局からデータを受信し、共通ポートを用いて参照信号を受信する。データを受信するために使用される同じビームの最小リソース単位は、以下：リソースエレメント、シンボル、及びリソースブロック、のうちの少なくとも１つを含む。
【００６５】
例えば、端末は、基地局から、共通ポートを用いて参照信号を受信し、参照信号に基づきチャネル情報を決定し、チャネル情報及びビームに関する情報に基づき、少なくとも１つのビームの等価チャネルを決定し、等価チャネルを通じて基地局からデータを受信する。
【００６６】
更に別の例では、端末は、基地局から、少なくとも１つのビームを用いて、基地局により少なくとも１つのビームを循環的に用いて端末へ送信されたデータ及び参照信号を受信する。データ及び参照信号を受信するために使用される同じビームの最小リソース単位は、リソースブロックである。
【００６７】
例えば、端末は、少なくとも１つのビームを用いて基地局から参照信号を受信し、共同チャネル推定の最小リソース単位の中の参照信号に対して共同チャネル推定を実行し、推定したチャネルを通じてデータを受信する。
【００６８】
任意で、ステップ２０６の後に、方法は、以下のステップを更に含む。
【００６９】
ステップ２０７。端末は、基地局へビーム状態情報を送信する。ここで、ビーム状態情報は、少なくとも１つのビームの各々が利用可能か否かを示す。
【００７０】
一例では、ビーム状態情報は、少なくとも１つのビームの各々に対応するチャネル品質指標（Channel  quality  indication、CQI）情報である。
【００７１】
本発明の本実施形態では、基地局は、端末へ２個のレイヤのシグナリングを用いて、データを伝送するために使用されるビームに関する情報を送信する。その結果、２個のレイヤのシグナリングの送信期間は、異なり得、ビームは都合良く迅速に調整でき、ビームに関する情報を送信するために使用されるシグナリングビットが削減できる。これは、ブロックにより引き起こされる信号フェージング問題を効率的に解決できる。
【００７２】
図３は、本発明の一実施形態による、動的調整ビームセットを用いる別の伝送方法の概略通信図である。方法は、図１に示す適用シナリオに基づき、ＳＦＢＣ送信ダイバーシチ技術は具体的にデータを送信するために使用される。図３を参照すると、方法は以下のステップを含む。
【００７３】
ステップ３０１。基地局は、Ｎ個のビームを含むビームセットを構成し、上位レイヤシグナリングを用いて該ビームセットを端末に通知する。
【００７４】
一例では、ビームセットの中のビームは、ビームインデックス又はコードブックインデックスを用いて示されてよい。
【００７５】
一例では、基地局は、望ましくは、端末からのフィードバックに基づきＮ個のビーム｛beam１,beam２,…,beamN｝を選択して、ビームセットを形成する。通常、Ｎ個のビームは特定間隔だけ分離される。
【００７６】
一例では、基地局は、望ましくは、端末によりフィードバックされた、各ビームのチャネル品質情報に基づき、Ｎ個のビームを選択してよい。チャネル品質情報は、ＣＱＩ及び／又はビームが続けて使用されてよいか否かに関する指示を含んでよい。
【００７７】
チャネル品質情報がＣＱＩのみを含むとき、ＣＱＩの最小レベルは、ビームが続けて使用できないことを示す指示として、端末によりパースされてよい。
【００７８】
ステップ３０２。端末は、基地局により送信された上位レイヤシグナリングを受信し、上位レイヤシグナリングに基づき、Ｎ個のビームを含むビームセットを決定する。
【００７９】
ステップ３０３。基地局は、現在の伝送において使用される２個のビームを端末に動的に通知する。ここで、２個のビームはＮ個のビームの部分集合である。
【００８０】
一例では、基地局は、Ｎビットビットマップ（bitmap）の方法で、現在の伝送で使用される２個のビームを動的に示してよい。例えば、［１０１．．．０］では、シグナリングはＮの長さを有する。ここで、１はビ―ムが使用されることを示し、０はビームが使用されないことを示す。
【００８１】
ステップ３０４。端末は、基地局の動的指示を受信し、動的指示に基づき、現在の伝送において使用される２個のビームを決定する。ここで、２個のビームはＮ個のビームの部分集合である。
【００８２】
ステップ３０５。基地局は、ステップ３０３で端末が通知されたビームに基づき、２個のアンテナポートを仮想化し、２個のアンテナポートに基づきＳＦＢＣ送信ダイバーシチ送信を実行する。
【００８３】
ステップ３０６。端末は、現在の伝送において使用され且つステップ３０２及びステップ３０４に従い決定された２個のビームに基づき、基地局により送信されたデータを検出する。
【００８４】
ステップ３０７。データを検出した後に、端末は、基地局へビーム状態情報を報告する。ビーム状態情報は、２個のビームの内の各々が続けて使用されてよいか否かを示す。
【００８５】
一例では、端末が、ビームｐの信号品質がビームｑの信号品質より明らかに劣っていること、又はビームの信号品質が受信閾より低いことを検出すると、端末は、ビームが使用できないと決定する。
【００８６】
一例では、端末は、Ｎビットビットマップ（bitmap）の方法でビーム状態情報を報告してよい。
【００８７】
別の例では、端末は、動的に示された２個のビームに基づき測定フィードバックを実行する。測定フィードバックは、２個のビームに基づくＣＱＩ測定フィードバックである。
【００８８】
任意で、ステップ３０７の後に、方法は、以下のステップを更に含む。
【００８９】
ステップ３０８。基地局は、端末により報告されたビーム状態情報に基づき、使用されるビームを調整する。
【００９０】
例えば、基地局が端末に通知するビームセットは、それぞれビーム１〜ビーム１０として識別される１０個のビームを含む。現在の伝送において使用され且つ基地局が端末に通知したビームは、ビーム１及びビーム２である。端末によりフィードバックされたビーム状態情報がビーム１は使用できないと示すとき、基地局は、ビーム１を置き換えるためにビーム３〜ビーム１０から１つのビームを選択し、スケジューリングシグナリングを用いて該ビームを端末に通知してよい。
【００９１】
本発明の本実施形態では、基地局は、深刻に減衰したビームがデータを伝送するために使用されることを回避するために、ＳＦＢＣで使用されるビームを動的に調整する。これは、データ伝送レートの向上を助ける。
【００９２】
図４は、本発明の一実施形態による、動的調整ビームセットを用いる更に別の伝送方法の概略通信図である。方法は、図１に示す適用シナリオに基づいてよく、ビームを循環的に用いる技術は、具体的に、データを伝送するために使用され、参照信号は共通ポートを用いて送信される。図４を参照すると、方法は以下のステップを含む。
【００９３】
ステップ４０１。基地局は、Ｎ個のビームを含むセットを構成し、上位レイヤシグナリングを用いて該セットを端末に通知する。
【００９４】
一例では、ビームセットの中のビームは、ビームインデックス又はコードブックインデックスを用いて示されてよい。
【００９５】
一例では、基地局は、望ましくは、端末からのフィードバックに基づきＮ個のビーム｛beam１,beam２,…,beamN｝を選択して、ビームセットを形成する。通常、Ｎ個のビームは特定間隔だけ分離される。
【００９６】
一例では、基地局は、望ましくは、端末によりフィードバックされた、各ビームのチャネル品質情報に基づき、Ｎ個のビームを選択してよい。チャネル品質情報は、ＣＱＩ及び／又はビームが続けて使用されてよいか否かに関する指示を含んでよい。
【００９７】
チャネル品質情報がＣＱＩのみを含むとき、ＣＱＩの最小レベルは、ビームが続けて使用できないことを示す指示として、端末によりパースされてよい。
【００９８】
ステップ４０２。端末は、基地局により送信された上位レイヤシグナリングを受信し、上位レイヤシグナリングに基づき、Ｎ個のビームを含むビームセットを決定する。
【００９９】
ステップ４０３。基地局は、現在の伝送において使用されるＭ個のビームを端末に動的に通知する。ここで、Ｍ個のビームはＮ個のビームの部分集合である。
【０１００】
一例では、基地局は、Ｎビットビットマップ（bitmap）の方法で、現在の伝送で使用されるＭ個のビームを動的に示してよい。例えば、［１０１．．．０］では、シグナリングはＮの長さを有する。ここで、１はビームが使用されることを示し、０はビームが使用されないことを示す。
【０１０１】
ステップ４０４。端末は、基地局の動的指示情報を受信し、動的指示情報に基づき、現在の伝送において使用されるＭ個のビームを決定する。ここで、Ｍ個のビームはＮ個のビームの部分集合である。
【０１０２】
ステップ４０５。基地局は、ステップ４０３で端末が通知されたＭ個のビームを循環的に用いてデータを伝送し、共通ポートを用いて参照信号を送信する。
【０１０３】
データ形成は、ＲＥレベル、シンボルレベル、又はリソースブロックレベルで実行されてよい。
【０１０４】
ビームは、限定ではないが、以下の方法で循環的に用いられてよい。例えば、合計３個のビーム、つまりビーム１、２、及び３があり、ビーム１が先ず使用され、次にビーム２が使用され、次にビーム３が使用され、次にビーム１が使用される。このように、ビームは循環的に使用される。
【０１０５】
ステップ４０６。端末は、現在の伝送において使用され且つステップ４０２及びステップ４０４に従い決定されたＭ個のビームに基づき、基地局により送信されたデータを検出する。
【０１０６】
一例では、端末は、参照信号を用いて測定されたチャネル情報、及び基地局により示されたビームに関する情報に基づき、等価チャネルを取得する。等価チャネルはデータ検出のために使用される。
【０１０７】
ステップ４０７。データを検出した後に、端末は、ビーム状態情報を報告する。ビーム状態情報は、Ｍ個のビームの内の各々が続けて使用されてよいか否かを示す。
【０１０８】
一例では、端末が、ビームｐの信号品質がビームｑの信号品質より明らかに劣っていること、又はビームの信号品質が受信閾より低いことを検出すると、端末は、ビームが使用できないと決定する。例えば、合計Ｍ個のビームがあり、任意の２個のビームの間の信号品質の差が閾より大きいとき、より粗悪な信号品質を有するビームは使用できないと決定される。
【０１０９】
一例では、端末は、Ｎビットビットマップ（bitmap）の方法でビーム状態情報を報告してよい。
【０１１０】
別の例では、端末は、動的に示されたＭ個のビームに基づき測定フィードバックを実行する。測定フィードバックは、Ｍ個のビームに基づくＣＱＩ測定フィードバックである。
【０１１１】
任意で、ステップ４０７の後に、方法は、以下のステップを更に含む。
【０１１２】
ステップ４０８。基地局は、端末により報告されたビーム状態情報に基づき、使用されるビームを調整する。
【０１１３】
例えば、基地局が端末に通知するビームセットは、それぞれビーム１〜ビーム１０として識別される１０個のビームを含む。現在の伝送において使用され且つ基地局が端末に通知したビームは、ビーム１、ビーム２、及びビーム３である。端末によりフィードバックされたビーム状態情報がビーム１及びビーム２は使用できないと示すとき、基地局は、ビーム１及びビーム２を置き換えるためにビーム４〜ビーム１０から２個のビームを選択し、スケジューリングシグナリングを用いて該ビームを端末に通知してよい。
【０１１４】
本発明の本実施形態では、基地局は、深刻に減衰したビームがデータを伝送するために使用されることを回避するために、ビームを循環的に用いて、データを伝送するために使用されるビームを動的に調整する。これは、データ伝送レートの向上を助ける。
【０１１５】
図５は、本発明の一実施形態による、動的調整ビームセットを用いるまた別の伝送方法の概略通信図である。方法は、図１に示す適用シナリオに基づいてよく、ビームを循環的に用いる技術は、具体的に、データを伝送するために使用され、参照信号及びデータは選択されたビームを用いて一緒に送信される。図５を参照すると、方法は以下のステップを含む。
【０１１６】
ステップ５０１。基地局は、Ｎ個のビームを含むセットを構成し、上位レイヤシグナリングを用いて該セットを端末に通知する。
【０１１７】
一例では、ビームセットの中のビームは、ビームインデックス又はコードブックインデックスを用いて示されてよい。
【０１１８】
一例では、基地局は、望ましくは、端末からのフィードバックに基づきＮ個のビーム｛beam１,beam２,…,beamN｝を選択して、ビームセットを形成する。通常、Ｎ個のビームは特定間隔だけ互いに分離される。
【０１１９】
一例では、基地局は、望ましくは、端末によりフィードバックされた、各ビームのチャネル品質情報に基づき、Ｎ個のビームを選択してよい。チャネル品質情報は、ＣＱＩ及び／又はビームが続けて使用されてよいか否かに関する指示を含んでよい。
【０１２０】
チャネル品質情報がＣＱＩのみを含むとき、ＣＱＩの最小レベルは、ビームが続けて使用できないことの指示として、端末によりパースされてよい。
【０１２１】
ステップ５０２。端末は、基地局により送信された上位レイヤシグナリングを受信し、上位レイヤシグナリングに基づき、Ｎ個のビームを含むビームセットを決定する。
【０１２２】
ステップ５０３。基地局は、現在の伝送において使用されるＭ個のビームを端末に動的に通知する。ここで、Ｍ個のビームはＮ個のビームの部分集合である。
【０１２３】
一例では、基地局は、Ｎビットビットマップ（bitmap）の方法で、現在の伝送で使用されるＭ個のビームを動的に示してよい。例えば、［１０１．．．０］では、シグナリングはＮの長さを有する。ここで、１はビームが使用されることを示し、０はビームが使用されないことを示す。
【０１２４】
ステップ５０４。端末は、基地局の動的指示情報を受信し、動的指示情報に基づき、現在の伝送において使用されるＭ個のビームを決定する。ここで、Ｍ個のビームはＮ個のビームの部分集合である。
【０１２５】
ステップ５０５。基地局は、ステップ５０３で端末が通知されたＭ個のビームを循環的に用いてデータ及び参照信号を伝送する。
【０１２６】
一例では、データ形式は、リソースブロックレベルで実行されてよく、これはリソース消費を削減できる。
【０１２７】
ステップ５０６。端末は、現在の伝送において使用され且つステップ５０２及びステップ５０４に従い決定されたＭ個のビームに基づき、基地局により送信されたデータを検出する。
【０１２８】
一例では、端末は、参照信号を用いて測定されたチャネルに基づき、データを検出する。共同チャネル推定の粒度は、データ形成の粒度と一致する。
【０１２９】
ステップ５０７。データを検出した後に、端末は、ビーム状態情報を報告する。ビーム状態情報は、Ｍ個のビームの内の各々が続けて使用されてよいか否かを示す。
【０１３０】
一例では、端末が、ビームｐの信号品質がビームｑの信号品質より明らかに劣っていること、又はビームの信号品質が受信閾より低いことを検出すると、端末は、ビームが使用できないと決定する。例えば、合計Ｍ個のビームがあり、任意の２個のビームの間の信号品質の差が閾より大きいとき、より粗悪な信号品質を有するビームは使用できないと決定される。
【０１３１】
一例では、端末は、Ｎビットビットマップ（bitmap）の方法でビーム状態情報を報告してよい。
【０１３２】
別の例では、端末は、動的に示されたＭ個のビームに基づき測定フィードバックを実行する。測定フィードバックは、Ｍ個のビームに基づくＣＱＩ測定フィードバックである。
【０１３３】
任意で、ステップ５０７の後に、方法は、以下のステップを更に含む。
【０１３４】
ステップ５０８。基地局は、端末により報告されたビーム状態情報に基づき、使用されるビームを調整する。
【０１３５】
例えば、基地局が端末に通知するビームセットは、それぞれビーム１〜ビーム１０として識別される１０個のビームを含む。現在の伝送において使用され且つ基地局が端末に通知したビームは、ビーム１、ビーム２、及びビーム３である。端末によりフィードバックされたビーム状態情報がビーム１及びビーム２は使用できないと示すとき、基地局は、ビーム１及びビーム２を置き換えるためにビーム４〜ビーム１０から２個のビームを選択し、スケジューリングシグナリングを用いて該ビームを端末に通知してよい。
【０１３６】
本発明の本実施形態では、基地局は、深刻に減衰したビームがデータを伝送するために使用されることを回避するために、ビームを循環的に用いて、データを伝送するために使用されるビームを動的に調整する。これは、データ伝送レートの向上を助ける。
【０１３７】
図４に示す実施形態におけるパイロットモードは、図５に示す実施形態におけるものと異なる。図４に示す実施形態では、共通パイロットが使用され、送信端でパイロットが形成される必要がなく、受信端で、パイロットが検出された後に、パイロットが形成行列により更に乗算された後にのみ、データの等価チャネルが取得できる。図５に示す実施形態では、形成パイロットが使用され、送信端でパイロットが形成される必要があり、受信端で、パイロットが検出された後に、データの等価チャネルが直接取得される。パイロットは参照信号である。
【０１３８】
図６は、本発明の一実施形態による基地局の構造図である。基地局は、本発明の一実施形態による、動的調整ビームセットを用いる伝送方法を実行するよう構成される。基地局は、処理モジュール６０１及び通信モジュール６０２を含む。
【０１３９】
処理モジュール６０１は、第１レイヤシグナリングを用いて端末へ第１指示情報を送信するよう通信モジュール６０２を制御し、ここで第１指示情報は第１ビームセットを示し、第２レイヤシグナリングを用いて端末へ第２指示情報を送信するよう通信モジュール６０２を制御し、ここで第２指示情報は第１ビームセットの中の少なくとも１つのビームを示し、少なくとも１つのビームを用いて端末へデータを送信するよう通信モジュール６０２を制御する、よう構成される。
【０１４０】
一例では、第１レイヤシグナリングは上位レイヤシグナリングであり、第２レイヤシグナリングは物理レイヤシグナリング又はＭＡＣレイヤシグナリングである。
【０１４１】
一例では、処理モジュール６０１は、少なくとも１つのビームを用い端末へデータを送信するよう通信モジュール６０２を制御した後に、端末により送信されたビーム状態情報を受信するよう通信モジュール６０２を制御するよう更に構成される。ここで、ビーム状態情報は、少なくとも１つのビームの各々が利用可能か否かを示す。
【０１４２】
一例では、第１指示情報は、第１ビームセットの中の各ビームのビームインデックス、又は第１ビームセットの中の各ビームのコードブックインデックスである。
【０１４３】
一例では、第２指示情報は、第１ビームセットに基づくビットマップの指示方法を使用する。
【０１４４】
一例では、少なくとも１つのビームは２個のビームであり、処理モジュール６０１は、具体的に、２個のビームに基づき２個のアンテナポートを決定し、２個のアンテナポートに基づき、ＳＦＢＣ送信ダイバーシチ技術を用いて端末へデータを送信するよう通信モジュール６０２を制御するよう構成される。
【０１４５】
一例では、処理モジュール６０１は、具体的に、少なくとも１つのビームを循環的に用いて端末へデータを送信するよう及び共通ポートを用いて参照信号を送信するよう通信モジュール６０２を制御するよう構成される。
【０１４６】
一例では、処理モジュール６０１は、具体的に、少なくとも１つのビームを循環的に用いて端末へデータ及び参照信号を送信するよう通信モジュール６０２を制御するよう構成される。
【０１４７】
基地局は、基地局のプログラムコード及びデータを格納するよう構成される記憶モジュール６０３を更に含んでよい。
【０１４８】
処理モジュール６０１は、中央処理ユニット（Central  Processing  Unit、CPU）、汎用プロセッサ、デジタル信号プロセッサ（Digital  Signal  Processor、DSP）、特定用途向け集積回路（Application−specific  Integrated  Circuit、ASIC）、フィールドプログラマブルゲートアレイ（Field  Programmable  Gate  Array、FPGA）又は別のプログラマブル論理素子、トランジスタ論理素子、ハードウェアコンポーネント、又はそれらの組み合わせのような、プロセッサ又はコントローラであってよい。コントローラ／プロセッサは、本発明において開示された内容を参照して記載された種々の例示的な論理ブロック、モジュール及び回路を実装し又は実行してよい。代替として、プロセッサは、コンピューティング機能を実装するプロセッサの組み合わせ、例えば、１つ以上のマイクロプロセッサの組み合わせ、又はDSP及びマイクロプロセッサの組み合わせであってよい。通信モジュール６０２は、通信インタフェース、通信機、通信機回路、等であってよい。通信インタフェースは、総括的用語であり、１つ以上のインタフェースを含んでよい。記憶モジュール６０３はメモリであってよい。
【０１４９】
処理モジュール６０１がプロセッサであり、通信モジュール６０２が通信インタフェースであり、及び記憶モジュール６０３がメモリであるとき、本発明の本実施形態で提供される基地局は、図７に示す基地局であってよい。
【０１５０】
図７を参照すると、基地局７００は、プロセッサ７０２、通信インタフェース７０３、及びメモリ７０１を含む。任意で、基地局７００は、バス７０４を更に含んでよい。通信インタフェース７０３、プロセッサ７０２及びメモリ７０１は、バス７０４を用いて互いに接続されてよい。バス７０４は、周辺機器相互接続（Peripheral  Component  Interconnect、略称：PCI）バス、拡張業界標準アーキテクチャ（Extended  Industry  Standard  Architecture、略称：EISA）バス、等であってよい。バス７０４は、アドレスバス、データバス、制御バス、等に分類され得る。提示を容易にするために、１本の太線のみが図７中でバスを提示するために使用されるが、これは１本のバスのみ又は１種類のバスのみが存在することを意味するものではない。
【０１５１】
図８は、本発明の一実施形態による端末の構造図である。端末は、本発明の一実施形態による、動的調整ビームセットを用いる伝送方法を実行するよう構成される。端末は、処理モジュール８０１及び通信モジュール８０２を含む。
【０１５２】
処理モジュール８０１は、第１レイヤシグナリングを用いて基地局から第１指示情報を受信するよう通信モジュール８０２を制御し、ここで第１指示情報は第１ビームセットを示し、第２レイヤシグナリングを用いて基地局から第２指示情報を受信するよう通信モジュール８０２を制御し、ここで第２指示情報は第１ビームセットの中の少なくとも１つのビームを示し、少なくとも１つのビームを用いて基地局からデータを送信するよう通信モジュール８０２を制御する、よう構成される。
【０１５３】
一例では、第１レイヤシグナリングは上位レイヤシグナリングであり、第２レイヤシグナリングは物理レイヤシグナリング又はＭＡＣレイヤシグナリングである。
【０１５４】
一例では、処理モジュール８０１は、少なくとも１つのビームを用い基地局からデータを受信するよう通信モジュール８０２を制御した後に、基地局へビーム状態情報を送信するよう通信モジュール８０２を制御するよう更に構成される。ここで、ビーム状態情報は、少なくとも１つのビームの各々が利用可能か否かを示す。
【０１５５】
一例では、第１指示情報は、第１ビームセットの中の各ビームのビームインデックス、又は第１ビームセットの中の各ビームのコードブックインデックスである。
【０１５６】
一例では、第２指示情報は、第１ビームセットに基づくビットマップの指示方法を使用する。
【０１５７】
一例では、少なくとも１つのビームは２個のビームであり、処理モジュール８０１は、具体的に、ＳＦＢＣ送信ダイバーシチ技術が基地局の伝送方法において使用されると決定し、端末は、２つのアンテナポートに基づき基地局からデータを受信するよう通信モジュール８０２を制御するよう構成される。
【０１５８】
一例では、処理モジュール８０１は、具体的に、基地局の伝送方法が、少なくとも１つのビームを循環的に用いてデータを送信し、共通ポートを用いて参照信号を送信することであると決定し、並びに、少なくとも１つのビームを循環的に用いて基地局からデータを受信し及び共通ポートを用いて参照信号を受信するよう、通信モジュール８０２を制御するよう構成される。
【０１５９】
一例では、処理モジュール８０１は、具体的に、少なくとも１つのビームを用いて基地局から、基地局により少なくとも１つのビームを循環的に用いて端末へ送信されたデータ及び参照信号を受信するよう通信モジュール８０２を制御するよう構成される。
【０１６０】
端末は、端末のプログラムコード及びデータを格納するよう構成される記憶モジュール８０３を更に含んでよい。
【０１６１】
処理モジュール８０１は、中央処理ユニット（Central  Processing  Unit、CPU）、汎用プロセッサ、デジタル信号プロセッサ（Digital  Signal  Processor、DSP）、特定用途向け集積回路（Application−specific  Integrated  Circuit、ASIC）、フィールドプログラマブルゲートアレイ（Field  Programmable  Gate  Array、FPGA）又は別のプログラマブル論理素子、トランジスタ論理素子、ハードウェアコンポーネント、又はそれらの組み合わせのような、プロセッサ又はコントローラであってよい。コントローラ／プロセッサは、本発明において開示された内容を参照して記載された種々の例示的な論理ブロック、モジュール及び回路を実装し又は実行してよい。代替として、プロセッサは、コンピューティング機能を実装するプロセッサの組み合わせ、例えば、１つ以上のマイクロプロセッサの組み合わせ、又はDSP及びマイクロプロセッサの組み合わせであってよい。通信モジュール８０２は、通信インタフェース、通信機、通信機回路、等であってよい。通信インタフェースは、総括的用語であり、１つ以上のインタフェースを含んでよい。記憶モジュール８０３はメモリであってよい。
【０１６２】
処理モジュール８０１がプロセッサであり、通信モジュール８０２が通信インタフェースであり、及び記憶モジュール８０３がメモリであるとき、本発明の本実施形態で提供される端末は、図９に示す端末であってよい。
【０１６３】
図９を参照すると、端末９００は、プロセッサ９０２、通信インタフェース９０３、及びメモリ９０１を含む。任意で、端末９００は、バス９０４を更に含んでよい。通信インタフェース９０３、プロセッサ９０２及びメモリ９０１は、バス９０４を用いて互いに接続されてよい。バス９０４は、周辺機器相互接続（Peripheral  Component  Interconnect、略称：PCI）バス、拡張業界標準アーキテクチャ（Extended  Industry  Standard  Architecture、略称：EISA）バス、等であってよい。バス９０４は、アドレスバス、データバス、制御バス、等に分類され得る。提示を容易にするために、１本の太線のみが図９中でバスを提示するために使用されるが、これは１本のバスのみ又は１種類のバスのみが存在することを意味するものではない。
【０１６４】
当業者は、本願明細書に開示の実施形態において記載された例と組み合わせて、ユニット及びアルゴリズムステップが、電子ハードウェア、コンピュータソフトウェア、又はそれらの組み合わせにより実施され得ることに更に気づき得る。ハードウェアとソフトウェアとの間の同義性を明確に記載するために、以上は、機能に従う各々の例の構成及びステップを一般的に記載した。機能がハードウェア又はソフトウェアにより実行されるかは、技術的ソリューションの特定の適用及び設計制約条件に依存する。当業者は、各々の特定の適用について記載の機能を実施するために異なる方法を使用できるが、実装が本発明の範囲を超えると考えられるべきではない。
【０１６５】
当業者は、実施形態の前述の方法の各々のステップの全部又は一部がプロセッサに指示するプログラムにより実装されてよいことを理解し得る。前述のプログラムは、コンピュータ可読記憶媒体に格納されてよい。記憶媒体は、ランダムアクセスメモリ、読み出し専用メモリ、フラッシュメモリ、ハードディスク、固体ドライブ、磁気テープ（magnetic  tape）、フロッピーディスク（floppy  disk）、又は光ディスク（optical  disc）、又はそれらの任意の組合せのような非一時的（non−transitory）媒体であってよい。上述の説明は、本発明の単なる好適な特定の実施形態であり、本発明の保護範囲を制限するものではない。
【図１】
2020515094.tif 000003
【図２】
2020515094.tif 000004
【図３】
2020515094.tif 000005
【図４】
2020515094.tif 000006
【図５】
2020515094.tif 000007
【図６】
2020515094.tif 000008
【図７】
2020515094.tif 000009
【図８】
2020515094.tif 000010
【図９】
2020515094.tif 000011
【手続補正書】
【提出日】令和1年7月18日(2019.7.18)
【手続補正１】
【補正対象書類名】特許請求の範囲
【補正対象項目名】全文
【補正方法】変更
【補正の内容】
【特許請求の範囲】
【請求項１】
動的調整ビームセットを用いる伝送方法であって、
第１レイヤシグナリングを用いて端末へ第１指示情報を送信するステップであって、前記第１指示情報は第１ビームセットを示す、ステップと、
第２レイヤシグナリングを用いて前記端末へ第２指示情報を送信するステップであって、前記第２指示情報は前記第１ビームセットの中の少なくとも１つのビームを示す、ステップと、
前記少なくとも１つのビームを用いて前記端末へ信号を送信するステップと、
を含む方法。
【請求項２】
前記第１レイヤシグナリングは上位レイヤシグナリングであり、前記第２レイヤシグナリングは物理レイヤシグナリング又は媒体アクセス制御（ＭＡＣ）レイヤシグナリングである、請求項１に記載の方法。
【請求項３】
前記信号はデータ又は参照信号を含み、前記少なくとも１つのビームを用いて前記端末へ信号を送信する前記ステップの後に、前記方法は、
前記端末により送信されたビーム状態情報を受信するステップであって、前記ビーム状態情報は、前記少なくとも１つのビームの各々が利用可能か否かを示す、ステップ、
を更に含む請求項１又は２に記載の方法。
【請求項４】
前記第１指示情報は、前記第１ビームセットの中の各ビームのビームインデックス、又は前記第１ビームセットの中の各ビームのコードブックインデックスである、請求項１乃至３のいずれか一項に記載の方法。
【請求項５】
前記第２指示情報は、前記第１ビームセットに基づくビットマップの指示方法を用いる、請求項１乃至４のいずれか一項に記載の方法。
【請求項６】
前記信号はデータを含み、前記少なくとも１つのビームを用いて前記端末へ信号を送信する前記ステップは、
前記少なくとも１つのビームを循環的に用いて、前記端末へ前記データを送信し、共通ポートを用いて参照信号を送信するステップを含む、請求項１乃至５のいずれか一項に記載の方法。
【請求項７】
前記信号はデータ及び参照信号を含み、前記少なくとも１つのビームを用いて前記端末へ信号を送信する前記ステップは、
前記少なくとも１つのビームを循環的に用いて、前記端末へ前記データ及び前記参照信号を送信するステップを含む、請求項１乃至５のいずれか一項に記載の方法。
【請求項８】
動的調整ビームセットを用いる伝送方法であって、
第１レイヤシグナリングを用いて基地局から第１指示情報を受信するステップであって、前記第１指示情報は第１ビームセットを示す、ステップと、
第２レイヤシグナリングを用いて前記基地局から第２指示情報を受信するステップであって、前記第２指示情報は前記第１ビームセットの中の少なくとも１つのビームを示す、ステップと、
前記少なくとも１つのビームを用いて前記基地局から信号を受信するステップと、
を含む方法。
【請求項９】
前記第１レイヤシグナリングは上位レイヤシグナリングであり、前記第２レイヤシグナリングは物理レイヤシグナリング又は媒体アクセス制御（ＭＡＣ）レイヤシグナリングである、請求項８に記載の方法。
【請求項１０】
前記信号はデータ又は参照信号を含み、前記少なくとも１つのビームを用いて前記基地局から信号を受信する前記ステップの後に、前記方法は、
前記基地局へビーム状態情報を送信するステップであって、前記ビーム状態情報は、前記少なくとも１つのビームの各々が利用可能か否かを示す、ステップ、
を更に含む請求項８又は９に記載の方法。
【請求項１１】
前記第１指示情報は、前記第１ビームセットの中の各ビームのビームインデックス、又は前記第１ビームセットの中の各ビームのコードブックインデックスである、請求項８乃至１０のいずれか一項に記載の方法。
【請求項１２】
前記第２指示情報は、前記第１ビームセットに基づくビットマップの指示方法を用いる、請求項８乃至１１のいずれか一項に記載の方法。
【請求項１３】
前記少なくとも１つのビームは２個のビームであり、前記２個のビームを用いて前記基地局から信号を受信する前記ステップは、
空間周波数ブロック符号化（ＳＦＢＣ）送信ダイバーシチ技術が前記基地局の伝送方法で使用されることを決定するステップと、
２つのアンテナポートに基づき前記基地局から前記信号を受信するステップと、
を含む、請求項８乃至１２のいずれか一項に記載の方法。
【請求項１４】
前記信号はデータを含み、前記少なくとも１つのビームを用いて前記基地局から信号を受信する前記ステップは、
前記基地局の伝送方法が、前記少なくとも１つのビームを循環的に用いて前記データを送信し、共通ポートを用いて参照信号を送信することであると決定するステップと、
前記少なくとも１つのビームを循環的に用いて前記基地局から前記データを受信し、前記共通ポートを用いて前記参照信号を受信するステップと、
を含む、請求項８乃至１３のいずれか一項に記載の方法。
【請求項１５】
前記信号はデータ及び参照信号を含み、前記少なくとも１つのビームを用いて前記基地局から信号を受信する前記ステップは、
前記少なくとも１つのビームを用いて、前記基地局から、前記基地局により前記少なくとも１つのビームを循環的に用いて送信された前記データ及び前記参照信号を受信するステップを含む、請求項８乃至１２のいずれか一項に記載の方法。
【請求項１６】
請求項１乃至７のいずれか一項又は請求項８乃至１５のいずれか一項に記載の方法を実行するよう構成される機器。
【請求項１７】
システムであって、請求項１６に記載の機器を２つ以上含み、前記２つ以上の機器のうちの少なくとも１つの機器は基地局を含み、前記２つ以上の機器のうちの少なくとも１つの機器は端末を含む、システム。
【請求項１８】
命令を含むコンピュータプログラムであって、前記命令は、前記プログラムがコンピュータにより実行されると、前記コンピュータに請求項１乃至７のいずれか一項又は請求項８乃至１５のいずれか一項に記載の方法を実行させる、コンピュータプログラム。
【国際調査報告】
2020515094.tif 000012
2020515094.tif 000013
2020515094.tif 000014
2020515094.tif 000015